(57)【特許請求の範囲】
【請求項１】
照明装置と、前記照明装置を遠隔操作するためのリモコン装置とからなる照明システムであって、
前記照明装置は、
発光部と、
壁スイッチを介して商用電源から供給される電力を受け付ける給電部と、
前記商用電源によって充電される蓄電池と、
前記給電部に受け付けられる電力に基づいて、前記商用電源の停電を検知する停電検知部と、
前記停電検知部によって停電が検知されていない場合には、前記商用電源からの電力に基づいて前記発光部を点灯させ、前記停電検知部によって停電が検知されている場合には、前記蓄電池からの電力に基づいて前記発光部を点灯させる点灯制御部と、
前記リモコン装置からの切替信号を受信する受信部とを備え、
前記点灯制御部は、
前記停電検知部によって停電が検知されていない場合には、
前記受信部によって受信される前記切替信号に応じて、前記発光部の状態を点灯から消灯に、または消灯から点灯に切り替え、
前記リモコン装置は、
導通状態の前記壁スイッチが非通電状態にされないように、前記壁スイッチを覆い隠すように設置され、かつ、人感センサを備え、
前記人感センサによって人が検知されたときに、点灯への切り替えを指示する切替信号を送信し、
前記点灯制御部は、
前記点灯への切り替えを指示する切替信号が、前記受信部によって受信されたときに、前記発光部を点灯させる
照明システム。
【請求項２】
前記リモコン装置は、前記切替信号を赤外線によって送信する
請求項１に記載の照明システム。
【請求項３】
前記リモコン装置は、
揺れを検知する第１の振動センサを備え、
前記第１の振動センサによって揺れが検知されたときに、点灯への切り替えを指示する切替信号を送信し、
前記点灯制御部は、
前記点灯への切り替えを指示する切替信号が、前記受信部によって受信されたときに、前記発光部を点灯させる
請求項１または２に記載の照明システム。
【請求項４】
前記照明装置は、さらに、
煙を検知する煙センサを備え、
前記点灯制御部は、
前記煙センサによって煙が検知されたときに、前記発光部を点灯させる
請求項１〜３の何れか１項に記載の照明システム。
【請求項５】
前記照明装置は、さらに、
揺れを検知する第２の振動センサを備え、
前記点灯制御部は、
前記第２の振動センサによって揺れが検知されたときに、前記発光部を点灯させる
請求項１〜４の何れか１項に記載の照明システム。
【請求項６】
前記煙センサは、
前記蓄電池または前記商用電源から供給される電力に基づいて、検知可能な状態で待機
する
請求項４に記載の照明システム。
【請求項７】
前記第２の振動センサは、
前記蓄電池または前記商用電源から供給される電力に基づいて、検知可能な状態で待機
する
請求項５に記載の照明システム。
【請求項８】
前記照明装置は、さらに、照度センサを備え、
前記点灯制御部は、
前記停電検知部によって停電が検知されている場合には、前記照度センサによって検知される明るさが閾値以下のときに、前記蓄電池からの電力に基づいて前記発光部を点灯させ、前記明るさが閾値を超えるときには、前記発光部を点灯させない
請求項１〜７の何れか１項に記載の照明システム。
【発明の詳細な説明】
【技術分野】
【０００１】
本発明は、照明装置、または照明装置を含むシステムに関する。
【背景技術】
【０００２】
従来、コンセントに接続されたときには外部電源によって点灯し、コンセントから外れたときには充電式電池によって点灯する照明装置（多機能照明具）が提案されている（特許文献１参照）。また、この照明装置は人検知センサを備えている。つまり、この照明装置は、コンセントに接続されている状態で、その人検知センサによって人が検知されたときに点灯するフットライトとして構成されている。さらに、この照明装置は、コンセントに接続されている状態で、外部電源の停電を感知したときには、充電式電池によって点灯する。
【先行技術文献】
【特許文献】
【０００３】
【特許文献１】特開２００３−１４１９１４号公報
【発明の概要】
【発明が解決しようとする課題】
【０００４】
しかしながら、上記特許文献１の照明装置では、外部電源による点灯と消灯との切り替えをユーザによる遠隔からの操作に応じて行うことができないという課題がある。外部電源である商用電源による点灯と消灯との切り替えを行うためには、一般的には壁スイッチが用いられる。つまり、壁スイッチの操作によって点灯と消灯との切り替えを行う照明装置として、上記特許文献１の照明装置を用いようとすると、この照明装置は、壁スイッチのオフによって停電を検知してしまう。したがって、上記特許文献１の照明装置では、壁スイッチがオフされても点灯してしまい、商用電源による点灯と消灯との切り替えを、ユーザによる遠隔からの操作に応じて行うことができない。
【０００５】
そこで、本発明は、停電していないときには、商用電源による点灯と消灯との切り替えを、ユーザによる遠隔からの操作に応じて行うことができるとともに、停電したときには適切に点灯することができる照明システムなどを提供することを目的とする。
【課題を解決するための手段】
【０００６】
上記目的を達成するために、本発明に係る照明システムの一態様は、照明装置と、前記照明装置を遠隔操作するためのリモコン装置とからなる照明システムであって、前記照明装置は、発光部と、壁スイッチを介して商用電源から供給される電力を受け付ける給電部と、前記商用電源によって充電される蓄電池と、前記給電部に受け付けられる電力に基づいて、前記商用電源の停電を検知する停電検知部と、前記停電検知部によって停電が検知されていない場合には、前記商用電源からの電力に基づいて前記発光部を点灯させ、前記停電検知部によって停電が検知されている場合には、前記蓄電池からの電力に基づいて前記発光部を点灯させる点灯制御部と、前記リモコン装置からの切替信号を受信する受信部とを備え、前記点灯制御部は、前記停電検知部によって停電が検知されていない場合には、前記受信部によって受信される前記切替信号に応じて、前記発光部の状態を点灯から消灯に、または消灯から点灯に切り替え、前記リモコン装置は、導通状態の前記壁スイッチが非通電状態にされないように、前記壁スイッチを覆い隠すように設置され、かつ、人感センサを備え、前記人感センサによって人が検知されたときに、点灯への切り替えを指示する切替信号を送信し、前記点灯制御部は、前記点灯への切り替えを指示する切替信号が、前記受信部によって受信されたときに、前記発光部を点灯させる。
【発明の効果】
【０００７】
本発明によれば、停電していないときには、商用電源による点灯と消灯との切り替えを、ユーザによる遠隔からの操作に応じて行うことができるとともに、停電したときには適切に点灯することができる。
【図面の簡単な説明】
【０００８】
【図１】実施の形態における照明システムの構成を示す図である。
【図２】実施の形態における照明装置およびリモコン装置の構成を示すブロック図である。
【図３】実施の形態における照明装置の点灯制御部の処理動作を示すフローチャートである。
【図４】実施の形態におけるリモコン装置の送信制御部の処理動作を示すフローチャートである。
【図５Ａ】実施の形態におけるリモコン装置の外観構成の他の例を示す図である。
【図５Ｂ】実施の形態におけるリモコン装置の外観構成の他の例を示す図である。
【図６】実施の形態における照明装置およびリモコン装置の他の構成を示すブロック図である。
【図７】その他の実施の形態におけるアラーム音に応じて点灯する照明装置と複数の周辺機器とを示す図である。
【図８】その他の実施の形態における照明装置の外観構成の一例を示す図である。
【図９Ａ】その他の実施の形態における照明装置の外観構成の他の例を示す図である。
【図９Ｂ】その他の実施の形態における照明装置の外観構成の他の例を示す図である。
【図９Ｃ】その他の実施の形態における照明装置の外観構成の他の例を示す図である。
【発明を実施するための形態】
【０００９】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態）
図１は、本実施の形態における照明システムの構成を示す図である。
【００１２】
この照明システム１０００は、少なくとも１つの照明装置１００と、それらの照明装置１００を遠隔操作するためのリモコン装置３００とからなる。
【００１３】
ここで、壁スイッチ２００は、導通状態と非導通状態とに切り替えられるスイッチ素子であって、外部電源である商用電源Ｐから各照明装置１００への電力供給をオンとオフとに切り替える。しかし、本実施の形態における壁スイッチ２００は、壁に埋設されている状態で、ユーザによって操作されないようにパネル２００ａに覆われている。これによって、壁スイッチ２００は、非導通状態にされないように導通状態に固定されている。つまり、導通状態をオンといい、非導通状態をオフといえば、壁スイッチ２００は常時オンにされている。したがって、商用電源Ｐからの電力は、壁スイッチ２００によって遮断されることなく各照明装置１００に供給されている。
【００１４】
リモコン装置３００は、照明装置１００の状態を点灯から消灯に、または消灯から点灯に切り替えるための切替信号を例えば赤外線によって各照明装置１００に送信する。ここで、本実施の形態におけるリモコン装置３００は、上述のパネル２００ａに取り付けられている。つまり、このリモコン装置３００も、パネル２００ａと同様に、壁スイッチ２００が操作されないように、壁スイッチ２００を覆い隠すように配置されている。また、リモコン装置３００は、ユーザによって持ち運ばれることなくパネル２００ａに固定されている。したがって、ユーザは、壁スイッチ２００を操作する感覚で、リモコン装置３００を操作することができ、特別な操作を行うことなく、普段どおりに照明装置１００の状態を切り替えることができる。
【００１５】
各照明装置１００は、リモコン装置３００から切替信号を受信すると、その切替信号に応じて点灯したり消灯したりする。
【００１６】
図２は、本実施の形態における照明装置１００およびリモコン装置３００の構成を示すブロック図である。
【００１７】
照明装置１００は、発光部１０１、給電部１０２、蓄電池１０３、充放電部１０３ａ、停電検知部１０４、点灯制御部１０５、受信部１０６、人感センサ１０７、煙センサ１０８、および振動センサ１０９を備える。
【００１８】
発光部１０１は、例えば少なくとも１つのＬＥＤ（Ｌｉｇｈｔ  Ｅｍｉｔｔｉｎｇ  Ｄｉｏｄｅ）素子からなるＬＥＤモジュールであり、点灯制御部１０５を介して供給される電力に応じて点灯する。具体的には、ＬＥＤ素子は、例えば、表面実装（ＳＭＤ：Ｓｕｒｆａｃｅ  Ｍｏｕｎｔ  Ｄｅｖｉｃｅ）型ＬＥＤ素子で構成される。なお、ＬＥＤ素子は、ＳＭＤ型ＬＥＤ素子でなくてもよく、基体に実装されたＬＥＤチップであってもよい。また、発光部１０１は、有機ＥＬ（Ｅｌｅｃｔｒｏ  Ｌｕｍｉｎｅｓｃｅｎｃｅ）素子など他の固体発光素子で構成されていてもよい。
【００１９】
給電部１０２は、商用電源Ｐから供給される電力を受け付ける。
【００２０】
蓄電池１０３は、商用電源Ｐによって充電される二次電池である。例えば、蓄電池１０３はリチウムイオン二次電池またはニッケル水素充電池である。なお、蓄電池１０３は、これら以外の他の二次電池であってもよい。
【００２１】
充放電部１０３ａは、給電部１０２および点灯制御部１０５を介して商用電源Ｐから供給される電力によって蓄電池１０３を充電する。さらに、充放電部１０３ａは、充電された蓄電池１０３を放電させることによって、その蓄電池１０３からの電力を点灯制御部１０５、受信部１０６、人感センサ１０７、煙センサ１０８、および振動センサ１０９に供給する。したがって、点灯制御部１０５、受信部１０６、人感センサ１０７、煙センサ１０８、および振動センサ１０９は、商用電源Ｐが停電していても、蓄電池１０３からの電力に基づいて駆動することができる。
【００２２】
停電検知部１０４は、給電部１０２に受け付けられる電力に基づいて商用電源Ｐの停電を検知する。また、停電検知部１０４は、商用電源Ｐの停電を検知していないときには、通電信号を点灯制御部１０５に出力し、停電を検知すると、通電信号の点灯制御部１０５への出力を停止する。停電検知部１０４は、この通電信号によって、停電の有無を点灯制御部１０５に通知する。
【００２３】
受信部１０６は、リモコン装置３００からの切替信号を受信し、その受信された切替信号を点灯制御部１０５に出力する。また、受信部１０６は、充放電部１０３ａを介して蓄電池１０３から供給される電力によって、その切替信号を受信可能な状態で待機している。
【００２４】
点灯制御部１０５は、停電検知部１０４によって停電が検知されていない場合には、商用電源Ｐからの電力に基づいて発光部１０１を点灯させる。つまり、点灯制御部１０５は、停電検知部１０４から通電信号を受けているときには、商用電源Ｐの電力で発光部１０１を点灯させる。一方、点灯制御部１０５は、停電検知部１０４によって停電が検知されている場合には、蓄電池１０３からの電力に基づいて発光部１０１を点灯させる。つまり、点灯制御部１０５は、停電検知部１０４から通電信号を受けていないときには、蓄電池１０３の電力で発光部１０１を点灯させる。なお、点灯制御部１０５は、商用電源Ｐからの電力に基づいて発光部１０１を点灯させるときには、商用電源Ｐからの電力を、発光部１０１の点灯に必要な電力に変換する。同様に、点灯制御部１０５は、蓄電池１０３からの電力に基づいて発光部１０１を点灯させるときには、蓄電池１０３から充放電部１０３ａを介して供給される電力を、発光部１０１の点灯に必要な電力に変換してもよい。
【００２５】
また、点灯制御部１０５は、停電検知部１０４によって停電が検知されていない場合には、受信部１０６によって受信されるリモコン装置３００からの切替信号に応じて、発光部１０１の状態を点灯から消灯に、または消灯から点灯に切り換える。
【００２６】
人感センサ１０７は、所定の検知範囲における人を検知する。具体的には、人感センサ１０７は、例えば、パッシブ型のセンサであって、その検知範囲にいる人から放出される赤外線（温度変化）を検知する。すなわち、人感センサ１０７は、その検知範囲にある熱を放出する物体であれば人以外の物でも検知する。また、人感センサ１０７は、人を検知すると、人検知信号を点灯制御部１０５に出力する。なお、人感センサ１０７は、超音波または可視光などを用いて人を検知してもよい。
【００２７】
煙センサ１０８は、例えば、煙による空気の電離状態の変化に応じてその煙を検知するイオン化式のセンサ、または、煙による光の乱反射または遮光によってその煙を検知する光電式のセンサである。なお、煙センサ１０８は、これら以外の方式で煙を検知してもよい。煙センサ１０８は、煙を検知すると煙検知信号を点灯制御部１０５に出力する。
【００２８】
振動センサ１０９は、例えば静電容量式、渦電流方式、または圧電効果などによって、揺れを検知する。振動センサ１０９は、揺れを検知すると揺れ検知信号を点灯制御部１０５に出力する。
【００２９】
上述の人感センサ１０７、煙センサ１０８および振動センサ１０９は、それぞれ充放電部１０３ａを介して蓄電池１０３から供給される電力を用いて駆動する。つまり、これらのセンサ１０７〜１０９は、蓄電池１０３の電力に基づいて待機していて、検知対象が発生した時点で、その検知対象を検知する。なお、煙センサ１０８および振動センサ１０９は、商用電源Ｐから給電部１０２を介して供給される電力を直接用いて駆動してもよい。この場合、煙センサ１０８および振動センサ１０９は、商用電源Ｐの電力に基づいて待機していて、検知対象が発生した時点で、その検知対象を検知する。点灯制御部１０５は、これらのセンサ１０７〜１０９からの信号を受けたときにも、その信号に応じて発光部１０１を点灯させたり消灯させたりする。
【００３０】
リモコン装置３００は、操作部３０１、送信制御部３０２、振動センサ３０３および蓄電池３０４を備える。
【００３１】
操作部３０１は、ボタンとして構成され、ユーザによる操作によって押下されると、押下されたことを示す操作信号を送信制御部３０２に出力する。
【００３２】
振動センサ３０３は、照明装置１００の振動センサ１０９と同様に構成され、揺れを検知すると、揺れ検知信号を送信制御部３０２に出力する。
【００３３】
送信制御部３０２は、操作部３０１から操作信号を受信すると、上述の切替信号を例えば赤外線で照明装置１００に送信する。また、送信制御部３０２は、振動センサ３０３から揺れ検知信号を受信すると、点灯への切り替えを指示する切替信号を例えば赤外線で照明装置１００に送信する。
【００３４】
蓄電池３０４は、一次電池または二次電池であって、送信制御部３０２および振動センサ３０３に駆動電力を供給する。
【００３５】
このようなリモコン装置３００は、操作部３０１に対するユーザの操作を受け付けると、照明装置１００に切替信号を送信する。これにより、照明装置１００は、消灯している状態でその切替信号を受信すると点灯する。また、照明装置１００は、点灯している状態でその切替信号を受信すると消灯する。したがって、ユーザは、このリモコン装置３００を壁スイッチ２００の代わりに用いて、照明装置１００の点灯と消灯との切り替えを遠隔から行うことができる。
【００３６】
また、リモコン装置３００は、振動センサ３０３を備えているため、例えば地震があったときは、点灯への切り替えを指示する切替信号を照明装置１００に送信する。これにより、照明装置１００は、消灯している状態でその切替信号を受信すると点灯する。また、照明装置１００は、点灯している状態でその切替信号を受信したときには、消灯することなく点灯し続ける。したがって、地震があったときには、照明装置１００の周囲が自動的に照らし出されるため、周囲の状況をユーザに容易に認識させることができる。
【００３７】
図３は、点灯制御部１０５の処理動作を示すフローチャートである。
【００３８】
点灯制御部１０５は、リモコン装置３００からの切替信号を受信したか否かを判定する（ステップＳ１０１）。ここで、点灯制御部１０５は、切替信号を受信したと判定すると（ステップＳ１０１のＹｅｓ）、発光部１０１の状態を点灯から消灯に、または消灯から点灯に切り替える（ステップＳ１０２）。この切り替えによって発光部１０１を点灯させるときには、点灯制御部１０５は、商用電源Ｐからの電力に基づいて発光部１０１を点灯させる。
【００３９】
次に、点灯制御部１０５は、停電検知部１０４からの通電信号に基づいて、停電が検知されたか否かを判定する（ステップＳ１０３）。ここで、点灯制御部１０５は、通電信号が途絶えた、つまり、停電が検知されたと判定すると（ステップＳ１０３のＹｅｓ）、蓄電池１０３からの電力に基づいて発光部１０１を点灯させる（ステップＳ１０４）。
【００４０】
そして、点灯制御部１０５は、ステップＳ１０４で発光部１０１を点灯させてから、人感センサ１０７によって人が検知されることなく所定時間が経過したか否かを判定する（ステップＳ１０５）。このような判定は、人感センサ１０７からの人検知信号に基づいて行われる。
【００４１】
ここで、点灯制御部１０５は、その所定時間が経過したと判定すると（ステップＳ１０５のＹｅｓ）、発光部１０１を消灯させる（ステップＳ１０６）。さらに、点灯制御部１０５は、人感センサ１０７からの人検知信号に応じて、人が検知されたか否かを判定する（ステップＳ１０７）。ここで、点灯制御部１０５は、人検知信号を受けた、つまり、人が検知されたと判定すると（ステップＳ１０７のＹｅｓ）、ステップＳ１０４からの処理を繰り返し実行する。
【００４２】
一方、点灯制御部１０５は、人検知信号を受けていない、つまり、人が検知されていないと判定すると（ステップＳ１０７のＮｏ）、商用電源Ｐの停電が復旧したか否かを判定する（ステップＳ１０８）。つまり、点灯制御部１０５は、停電検知部１０４からの通電信号に基づいて、商用電源Ｐが通電の状態になっているか否かを判定する（ステップＳ１０８）。ここで、点灯制御部１０５は、停電が復旧したと判定すると（ステップＳ１０８のＹｅｓ）、ステップＳ１０１からの処理を繰り返し実行する。一方、点灯制御部１０５は、停電が復旧していないと判定すると（ステップＳ１０８のＮｏ）、ステップＳ１０７からの処理を繰り返し実行する。
【００４３】
また、ステップＳ１０３において、停電が検知されていないと判定すると（ステップＳ１０３のＮｏ）、点灯制御部１０５は、発光部１０１を消灯させているか否かを判定する（ステップＳ１０９）。ここで、点灯制御部１０５は、発光部１０１を点灯させていると判定すると（ステップＳ１０９のＮｏ）、ステップＳ１０１からの処理を繰り返し実行する。一方、点灯制御部１０５は、消灯させていると判定すると（ステップＳ１０９のＹｅｓ）、さらに、人感センサ１０７からの人検知信号に基づいて、人が検知されたか否かを判定する（ステップＳ１１０）。
【００４４】
ここで、点灯制御部１０５は、人が検知されていないと判定すると（ステップＳ１１０のＮｏ）、煙センサ１０８からの煙検知信号に基づいて、煙が検知されたか否かを判定する（ステップＳ１１１）。さらに、点灯制御部１０５は、煙が検知されていないと判定すると（ステップＳ１１１のＮｏ）、振動センサ１０９からの揺れ検知信号に基づいて、揺れが検知されたか否かを判定する（ステップＳ１１２）。ここで、点灯制御部１０５は、揺れが検知されていないと判定すると（ステップＳ１１２のＮｏ）、ステップＳ１０１からの処理を繰り返し実行する。
【００４５】
また、点灯制御部１０５は、ステップＳ１１０、Ｓ１１１またはＳ１１２において、検知されたと判定すると（ステップＳ１１０、Ｓ１１１またはＳ１１２のＹｅｓ）、商用電源Ｐからの電力に基づいて発光部１０１を点灯させる（ステップＳ１１３）。さらに、点灯制御部１０５は、人検知信号、煙検知信号および揺れ検知信号に基づいて、人、煙および揺れの何れも検知されることなく所定時間が経過したか否かを判定する（ステップＳ１１４）。ここで、点灯制御部１０５は、所定時間が経過したと判定すると（ステップＳ１１４のＹｅｓ）、発光部１０１を消灯させる（ステップＳ１１５）。そして、点灯制御部１０５は、ステップＳ１０１からの処理を繰り返し実行する。
【００４６】
図４は、リモコン装置３００の送信制御部３０２の処理動作を示すフローチャートである。
【００４７】
送信制御部３０２は、操作部３０１に対して押し操作があったか否か、つまり操作部３０１から操作信号を受けたか否かを判定する（ステップＳ２０１）。なお、この押し操作は、ユーザによって操作部３０１が押下される操作である。ここで、押し操作があった、つまり操作信号を受けたと判定すると（ステップＳ２０１のＹｅｓ）、送信制御部３０２は、切替信号を送信する（ステップＳ２０２）。
【００４８】
一方、押し操作がなかった、つまり操作信号を受けていないと判定すると（ステップＳ２０１のＮｏ）、送信制御部３０２は、振動センサ３０３からの揺れ検知信号に基づいて、揺れが検知されたか否かを判定する（ステップＳ２０３）。ここで、揺れが検知されたと判定すると（ステップＳ２０３のＹｅｓ）、送信制御部３０２は、点灯への切り替えを指示する切替信号を送信する（ステップＳ２０４）。
【００４９】
そして、送信制御部３０２は、ステップＳ２０３において、揺れが検知されていないと判定したとき、ステップＳ２０２の後、または、ステップＳ２０４の後には、ステップＳ２０１からの処理を繰り返し実行する。
【００５０】
図５Ａおよび図５Ｂは、本実施の形態におけるリモコン装置３００の外観構成の他の例を示す図である。
【００５１】
図１および図２に示す例では、リモコン装置３００は、埋設された壁スイッチ２００がユーザによって操作されないように、パネル２００ａと共に壁スイッチ２００を覆い隠すように配置されている。つまり、通常、埋設されている壁スイッチ２００は、パネル２００ａおよびリモコン装置３００の代わりに、そのパネル２００ａと略同じ大きさのハンドルによって覆い隠されている。そして、ユーザがハンドルを押下することによって、壁スイッチ２００の状態がオンまたはオフ、つまり導通状態または非導通状態に切り換えられる。このような、壁スイッチ２００は、いわゆるワイドスイッチとして用いられる。
【００５２】
しかし、図５Ａに示すように、リモコン装置３００は、いわゆるシーソータイプの壁スイッチ２００に対しても用いることができる。この場合にも、図５Ａに示すように、リモコン装置３００は、シーソータイプの壁スイッチ２００を覆い隠すように配置される。これにより、壁スイッチ２００は、非導通状態にされないように導通状態に固定される。
【００５３】
また、図５Ｂに示すように、２つの壁スイッチが連なって壁に埋設されているときには、一方の壁スイッチのみが覆い隠されるように、パネル２００ａおよびリモコン装置３００が配置されていてもよい。この場合には、覆い隠された壁スイッチに接続されている照明装置１００をリモコン装置３００で操作することができる。
【００５４】
図６は、本実施の形態における照明装置１００およびリモコン装置３００の他の構成を示すブロック図である。
【００５５】
照明装置１００は、図６に示すように、照度センサ１１０を備えていてもよい。この照度センサ１１０は、例えばフォトトランジスタまたはフォトダイオードなどを有し、照明装置１００の周囲の明るさを検知する。そして、照度センサ１１０は、検知された明るさを示す照度信号を点灯制御部１０５に出力する。このような照度センサ１１０は、充放電部１０３ａを介して蓄電池１０３から供給される電力を用いて駆動する。
【００５６】
点灯制御部１０５は、照度センサ１１０から出力される照度信号を取得し、その照度信号によって示される明るさに応じて発光部１０１の状態を切り替える。つまり、点灯制御部１０５は、停電検知部１０４によって停電が検知されている場合には、その照度信号によって示される明るさが閾値以下のときに、蓄電池１０３からの電力に基づいて発光部１０１を点灯させる。一方、点灯制御部１０５は、停電検知部１０４によって停電が検知されている場合であっても、この照度信号によって示される明るさが閾値を超えるときには、発光部１０１を点灯させない。これにより、蓄電池１０３の消費電力を抑えることができる。
【００５７】
ここで、煙センサ１０７および振動センサ１０９は、それぞれ充放電部１０３ａを介して蓄電池１０３から供給される電力を用いて駆動している。したがって、停電時においても、煙センサ１０７および振動センサ１０９は検知可能な状態でスタンバイしておくことができる。その結果、停電時に周囲が明るいために、照明装置１００が点灯していない場合であっても、煙センサ１０７および振動センサ１０９の何れかが検知対象（煙または揺れ）を検知すれば、照明装置１００を点灯させることができる。
【００５８】
リモコン装置３００は、図６に示すように、人感センサ３０５を備えていていもよい。人感センサ３０５は、蓄電池３０４から供給される駆動電力に基づいて駆動し、照明装置１００の人感センサ１０７と同様に、所定の検知範囲における人を検知する。そして、人感センサ３０５は、人を検知すると、人検知信号を送信制御部３０２に出力する。送信制御部３０２は、人感センサ３０５から人検知信号を受信すると、点灯への切り替えを指示する切替信号を例えば赤外線で照明装置１００に送信する。これにより、照明装置１００は、消灯している状態でその切替信号を受信すると点灯する。また、照明装置１００は、点灯している状態でその切替信号を受信したときには、消灯することなく点灯し続ける。
【００５９】
このような図６に示す例では、人感センサ３０５がリモコン装置３００に備えられるため、人を適切に検知することができ、その結果に応じて照明装置１００を点灯させることができる。つまり、照明装置１００に備えられている人感センサ１０７では、照明装置１００の形態によって、人を検知する感度が低下する場合がある。具体的には、その感度は、照明装置１００が取り付けられる角度、または照明装置１００のカバー（グローブ）の影響を受ける。つまり、照明装置１００の人感センサ１０７は、照明装置１００の形態に基づく制約を受けやすい。しかし、リモコン装置３００に備えられている人感センサ３０５は、そのような制約を受けることなく、高感度で人を検知することができる。
【００６０】
（まとめ）
以上のように、本実施の形態における照明システム１０００は、照明装置１００と、照明装置１００を遠隔操作するためのリモコン装置３００とからなる。照明装置１００は、発光部１０１と、給電部１０２と、蓄電池１０３と、停電検知部１０４と、点灯制御部１０５と、受信部１０６とを備える。給電部１０２は、商用電源Ｐから供給される電力を受け付ける。蓄電池１０３は、商用電源Ｐによって充電される。停電検知部１０４は、給電部１０２に受け付けられる電力に基づいて、商用電源Ｐの停電を検知する。点灯制御部１０５は、停電検知部１０４によって停電が検知されていない場合には、商用電源Ｐからの電力に基づいて発光部１０１を点灯させる。また、点灯制御部１０５は、停電検知部１０４によって停電が検知されている場合には、蓄電池１０３からの電力に基づいて発光部１０１を点灯させる。受信部１０６は、リモコン装置３００からの切替信号を受信する。ここで、点灯制御部１０５は、停電検知部１０４によって停電が検知されていない場合には、受信部１０６によって受信される切替信号に応じて、発光部１０１の状態を点灯から消灯に、または消灯から点灯に切り替える。
【００６１】
これにより、停電していないときには、商用電源Ｐによる点灯と消灯との切り替えを、ユーザによるリモコン装置３００の操作に応じて、つまり、ユーザによる遠隔からの操作に応じて、行うことができる。したがって、給電部１０２が、壁スイッチ２００を介して商用電源Ｐから供給される電力を受け付ける場合には、その壁スイッチ２００を常に導通状態にしておくことができる。壁スイッチ２００が常に導通状態にされることによって、停電検知部１０４は、商用電源Ｐの停電を適切に検知することができる。つまり、壁スイッチ２００が非導通状態にされることによって停電を検知してしまうという誤検知を抑えることができる。したがって、停電したときには、適切に点灯することができる。
【００６２】
このような本実施の形態における照明装置１００は、例えば屋内の天井に設置されるランプとして用いることができるとともに、防災時に周囲の状況を人に分かりやすくするためにその周囲を照らし出す防災用のランプとして用いることができる。
【００６３】
また、本実施の形態では、リモコン装置３００は、壁スイッチ２００が操作されないように、壁スイッチ２００を覆い隠すように設置されている。
【００６４】
これにより、壁スイッチ２００が非導通状態に切り換えられることを防ぐことができる。さらに、ユーザは、壁スイッチ２００を操作する場合と同様に、リモコン装置３００を操作することによって、照明装置１００の状態を点灯と消灯とに切り替えることができる。つまり、ユーザは、特別な操作を要することなく、壁スイッチ２００を操作する感覚で照明装置１００の状態を切り替えることができる。
【００６５】
また、本実施の形態では、リモコン装置３００は、切替信号を赤外線によって送信する。これにより、リモコン装置３００から適切な範囲に配置されている照明装置１００を遠隔操作することができる。
【００６６】
また、本実施の形態では、リモコン装置３００は、揺れを検知する振動センサ３０３を備える。そして、リモコン装置３００は、振動センサ３０３によって揺れが検知されたときに、点灯への切り替えを指示する切替信号を送信する。点灯制御部１０５は、その点灯への切り替えを指示する切替信号が、受信部１０６によって受信されたときに、発光部１０１を点灯させる。
【００６７】
これにより、例えば地震があったときは、リモコン装置３００は、点灯への切り替えを指示する切替信号を照明装置１００に送信する。これにより、照明装置１００は、消灯していても、その切替信号を受信すると点灯する。したがって、地震があったときには、照明装置１００の周囲が自動的に照らし出されるため、周囲の状況をユーザに容易に認識させることができる。
【００６８】
また、本実施の形態では、照明装置１００は、さらに、煙を検知する煙センサ１０８を備える。点灯制御部１０５は、煙センサ１０８によって煙が検知されたときに、発光部１０１を点灯させる。
【００６９】
これにより、停電していないときにも、例えば火災によって煙が発生している周囲が自動的に照らし出されるため、その周囲の状況を人に容易に認識させることができ、危険の回避に役立たせることができる。
【００７０】
また、本実施の形態では、照明装置１００は、さらに、揺れを検知する振動センサ１０９を備える。点灯制御部１０５は、振動センサ１０９によって揺れが検知されたときに、発光部１０１を点灯させる。
【００７１】
これにより、停電していないときにも、例えば地震によって揺れが発生している周囲が自動的に照らし出されるため、その周囲の状況を人に容易に認識させることができ、危険の回避に役立たせることができる。
【００７２】
また、本実施の形態では、煙センサ１０８または振動センサ１０９は、蓄電池１０３または商用電源Ｐから供給される電力に基づいて、検知可能な状態で待機する。これにより、停電していないときにも、停電しているときにも、煙センサ１０８または振動センサ１０９は検知可能な状態でスタンバイしている。したがって、照明装置１００は、どのようなときにも、それらのセンサによる検知結果にも基づいて、点灯することができる。
【００７３】
また、本実施の形態では、照明装置１００は、さらに、照度センサ１１０を備えてもよい。点灯制御部１０５は、停電検知部１０４によって停電が検知されている場合には、照度センサ１１０によって検知される明るさが閾値以下のときに、蓄電池１０３からの電力に基づいて発光部１０１を点灯させ、その明るさが閾値を超えるときには、発光部１０１を点灯させない。これにより、蓄電池１０３の消費電力を抑えることができる。
【００７４】
また、本実施の形態では、リモコン装置３００は、人感センサ３０５を備えてもよい。リモコン装置３００は、人感センサ３０５によって人が検知されたときに、点灯への切り替えを指示する切替信号を送信する。点灯制御部１０５は、点灯への切り替えを指示する切替信号が、受信部１０６によって受信されたときに、発光部１０１を点灯させる。これにより、人を適切に検知することができ、その結果に応じて照明装置１００を点灯させることができる。
【００７５】
（その他の実施の形態）
上記実施の形態における照明装置１００は、停電、人、煙または揺れを検知したときに点灯したが、周辺にある機器からのアラーム音またはチャイムなどの音に応じて点灯、点滅または明滅してもよい。
【００７６】
図７は、アラーム音に応じて点灯する照明装置１００と複数の周辺機器とを示す図である。
【００７７】
複数の周辺機器は、例えば、いわゆるドアホンであるインターホン４０１と、目覚まし時計４０２と、電話４０３と、洗濯機４０４と、火災警報器４０５とからなる。なお、複数の周辺機器は、音を発する機器であれば、これら以外の機器であってもよい。
【００７８】
これらの複数の周辺機器のそれぞれは、その周辺機器から発せられた音に応じて、点灯への切り替えを指示する切替信号を照明装置１００に送信する通知部５００を備えている。具体的には、通知部５００は、音を検知する音センサ５０２と、切替信号を例えば赤外線で送信する送信部５０１とを備えている。音センサ５０２は、例えばマイクまたは音圧センサとして構成され、音を検知すると音検知信号を送信部５０１に出力する。送信部５０１は、その音検知信号を受けると、上述の切替信号を送信する。
【００７９】
照明装置１００は、これらの周辺機器から切替信号を受信すると点灯する。または、照明装置１００は、その切替信号を受信すると点滅あるいは明滅する。また、複数の周辺機器のそれぞれの通知部５００から送信される切替信号には、その切替信号を送信した周辺機器の識別情報が含まれていてもよい。照明装置１００は、このような識別情報が含まれた切替信号を受信すると、その識別情報に応じた態様で点灯する。つまり、照明装置１００は、複数の周辺機器のそれぞれに対して互いに異なる態様で点灯することができる。
【００８０】
例えば、インターホン４０１からチャイムが鳴ると、照明装置１００は、インターホン４０１の通知部５００から切替信号を受信する。したがって、照明装置１００は、来客があることを、点灯、点滅あるいは明滅などによってユーザに通知する。また、目覚まし時計４０２からアラーム音が鳴ると、照明装置１００は、目覚まし時計４０２の通知部５００から切替信号を受信する。したがって、照明装置１００は、例えば現在時刻が起床時刻であることを、点灯、点滅あるいは明滅などによってユーザに通知する。また、電話４０３から呼び出し音が鳴ると、照明装置１００は、電話４０３の通知部５００から切替信号を受信する。したがって、照明装置１００は、例えば着呼があったことを、点灯、点滅あるいは明滅などによってユーザに通知する。また、洗濯機４０４からアラーム音が鳴ると、照明装置１００は、洗濯機４０４の通知部５００から切替信号を受信する。したがって、照明装置１００は、例えば洗濯中に異常があったことを、点灯、点滅あるいは明滅などによってユーザに通知する。また、火災警報器４０５から警報音が鳴ると、照明装置１００は、火災警報器４０５の通知部５００から切替信号を受信する。したがって、照明装置１００は、例えば火災が発生したことを、点灯、点滅あるいは明滅などによってユーザに通知する。
【００８１】
このような照明装置１００では、各周辺機器からのアラーム音またはチャイムなどの音によるメッセージを、光によってユーザに通知することができる。つまり、ユーザは、各周辺機器からのメッセージを視覚的に知得することができる。
【００８２】
また、照明装置１００が、音センサ５０２を備えていてもよい。この場合、点灯制御部１０５は、音センサ５０２から音検知信号を受けると、発光部１０１の状態を消灯から点灯に切り替える。または、点灯制御部１０５は発光部１０１を点滅または明滅させる。このような照明装置１００では、周辺機器に通知部５００を備える必要がないため、音を発する機器であれば、どのような機器からの音に対しても点灯、点滅または明滅することができる。
【００８３】
上記実施の形態における照明装置１００は、防災用のランプとして用いることができる。そこで、防災時に、より便利に用いられるように、照明装置１００は、ランタンまたは懐中電灯としても用いられるように構成されていてもよい。
【００８４】
図８は、照明装置の外観構成の一例を示す図である。
【００８５】
照明装置１００ｎは、上述の照明装置１００の機能構成を備えるとともに、グローブ１８３、筺体１８１、給電部１０２、および複数の突起１８２とを備えた電球形ＬＥＤランプとして構成されている。
【００８６】
筺体１８１は、略筒状に形成され、上述の蓄電池１０３、充放電部１０３ａ、停電検知部１０４、点灯制御部１０５、受信部１０６、人感センサ１０７、煙センサ１０８および振動センサ１０９を囲う。
【００８７】
グローブ１８３は、開口部を有する中空の略半球状に形成された、上述の発光部１０１を覆う透光性カバーである。このグローブ１８３は、グローブ１８３の開口部と筺体１８１の開口部とが当接するように、筺体１８１に取り付けられている。発光部１０１から放出される光は、このグローブ１８３を介して照明装置１００ｎの外部に放たれる。
【００８８】
給電部１０２は、口金として構成され、筺体１８１のグローブ１８３と反対側の開口部から露出するように、その筺体１８１に取り付けられている。
【００８９】
複数の突起１８２はそれぞれ略棒状に形成されている。これらの突起１８２の一端（基端）は、筺体１８１に回動自在に取り付けられている。
【００９０】
以上のように照明装置１００ｎが構成されているため、通常時、つまり、壁スイッチ２００の操作に応じて照明装置１００ｎを点灯または消灯させるときには、照明装置１００ｎは、給電部１０２がソケットに嵌め込まれて使用される。また、停電時などの防災時には、照明装置１００ｎをソケットから取り外して、ランタンとして使用することができる。
【００９１】
つまり、通常時には、複数の突起１８２のそれぞれの基端と反対側の端（先端）をグローブ１８３側に寄せ、複数の突起１８２のそれぞれを筺体１８１の側面に沿わせる。これにより、複数の突起１８２に邪魔されることなく照明装置１００ｎをソケットに取り付けることができる。
【００９２】
一方、防災時には、照明装置１００ｎをソケットから取り外し、複数の突起１８２のそれぞれの先端を給電部１０２側に寄せる。そして、それらの突起１８２の先端を例えばテーブル、床、または地面などに当接させれば、グローブ１８３を上に向けた状態で照明装置１００ｎを安定して立てることができる。照明装置１００ｎは、蓄電池１０３からの電力によっても点灯するため、床などに立てられた状態で点灯することができる。したがって、照明装置１００ｎをランタンとして使用することができる。
【００９３】
図９Ａ〜図９Ｃは、照明装置の外観構成の他の例を示す図である。
【００９４】
照明装置１００ｍは、上述の照明装置１００ｎと同様に、照明装置１００としての機能構成を備えるとともに、グローブ１８３、筺体１８１、給電部１０２、および引掛け部１８４を備えた電球形ＬＥＤランプとして構成されている。
【００９５】
また、照明装置１００ｍにおける筺体１８１は、図９Ａおよび図９Ｂに示すように、第１の筺体１８１ａと、第２の筺体１８１ｂと、第３の筺体１８１ｃとからなり、伸縮自在に構成されている。
【００９６】
第１の筺体１８１ａは、略筒状に形成され、上述の蓄電池１０３、充放電部１０３ａ、停電検知部１０４、点灯制御部１０５、受信部１０６、人感センサ１０７、煙センサ１０８および振動センサ１０９を囲う。グローブ１８３は、グローブ１８３の開口部と第１の筺体１８１ａの開口部とが当接するように、第１の筺体１８１ａに取り付けられている。
【００９７】
第２の筺体１８１ｂおよび第３の筺体１８１ｃも、それぞれ略筒状に形成されている。第２の筺体１８１ｂの一方の開口部には、第３の筺体１８１ｃの一方の開口部が接続されている。第２の筺体１８１ｂの他方の開口部には、給電部１０２が露出するように取り付けられている。
【００９８】
このような第２の筺体１８１ｂは、図９Ａに示すように、第３の筺体１８１ｃが第１の筺体１８１ａの内部に挿入されて、第２の筺体１８１ｂの開口部が、第１の筺体１８１ａの開口部に当接するように、第１の筺体１８１ａに取り付けられる。
【００９９】
また、第２の筺体１８１ｂは、第１の筺体１８１ａに対して移動可能なように取り付けられている。つまり、第２の筺体１８１ｂは、図９Ｂに示すように、第１の筺体１８１ａから引き離し可能であって、引き離されたときには、第３の筺体１８１ｃが、露出した状態で、第１の筺体１８１ａと第２の筺体１８１ｂとをつなぐ。このように、筺体１８１は伸縮自在に構成されている。
【０１００】
また、引掛け部１８４は、略円弧状に形成され、その両端が第２の筺体１８１ｂに回動自在に取り付けられている。
【０１０１】
以上のように照明装置１００ｍが構成されているため、通常時、つまり、壁スイッチ２００の操作に応じて照明装置１００ｍを点灯または消灯させるときには、照明装置１００ｍは、給電部１０２がソケットに嵌め込まれて使用される。また、停電時などの防災時には、照明装置１００ｍをソケットから取り外して、懐中電灯またはランタンとして使用することができる。
【０１０２】
つまり、通常時には、筺体１８１を縮めた状態で引掛け部１８４をグローブ１８３側に寄せる。これにより、引掛け部１８４に邪魔されることなく照明装置１００ｍをソケットに取り付けることができる。
【０１０３】
一方、防災時には、図９Ｂに示すように、照明装置１００ｍをソケットから取り外し、第２の筺体１８１ｂおよび第３の筺体１８１ｃを引き出して筺体１８１を延ばす。これにより、筺体１８１が握りやすくなるため、照明装置１００ｍを懐中電灯として用いることができる。または、図９Ｃに示すように、照明装置１００ｍをソケットから取り外し、引掛け部１８４を給電部１０２側に寄せる。これにより、引掛け部１８４を例えばフックなどに引掛けて照明装置１００ｍを吊るすことができ、照明装置１００ｍをランタンとして使用することができる。
【０１０４】
以上、本発明の照明システムおよび照明装置について、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【０１０５】
例えば、上記実施の形態では、照明装置１００は電球型のランプとして構成されていたが、電球型と異なるタイプの照明装置であってもよい。
【０１０６】
なお、上述の点灯制御部１０５、充放電部１０３ａ、停電検知部１０４、受信部１０６、操作部３０１、および送信制御部３０２は、それぞれ電子回路によって構成されている。
【符号の説明】
【０１０７】
１００    照明装置
１０１    発光部
１０２    給電部
１０３，３０４    蓄電池
１０４    停電検知部
１０５    点灯制御部
１０６    受信部
１０７    人感センサ
１０８    煙センサ
１０９，３０３    振動センサ
２００    壁スイッチ
３００    リモコン装置
Ｐ        商用電源
１０００    照明システム
【図１】
0006532036.tif 000002
【図２】
0006532036.tif 000003
【図３】
0006532036.tif 000004
【図４】
0006532036.tif 000005
【図５Ａ】
0006532036.tif 000006
【図５Ｂ】
0006532036.tif 000007
【図６】
0006532036.tif 000008
【図７】
0006532036.tif 000009
【図８】
0006532036.tif 000010
【図９Ａ】
0006532036.tif 000011
【図９Ｂ】
0006532036.tif 000012
【図９Ｃ】
0006532036.tif 000013